(57)【要約】      （修正有）【課題】着物を着用している場合でも小物を収容することができるように収容部を有し、かつ簡単に絞められる帯を提供する。【解決手段】長尺状の帯１を着用した状態で上方から挿入される小物を、前記帯１内に収容する収容部３を有する。また、前記帯１の他端側１ｂには、前記帯１が折り返されることで形成される折り返し部を有し、前記帯１の一端側１ａには、前記折り返し部内に差し込むことで前記他端側１ｂと前記一端側１ａとを止着する止着部が固定されている。【選択図】図１
0003175231.tif 000002
【実用新案登録請求の範囲】
【請求項１】
長尺状の帯を着用した状態で上方から挿入される小物を、前記帯内に収容する収容部を有することを特徴とする帯。
【請求項２】
前記帯の他端側には、前記帯が折り返されることで形成される折り返し部を有し、
前記帯の一端側には、前記折り返し部内に差し込むことで前記他端側と前記一端側とを止着する止着部が固定されていることを特徴とする請求項１に記載の帯。
【考案の詳細な説明】
【技術分野】
【０００１】
本考案は、着物や浴衣の帯に係るものである。例えば祭り用ハッピの帯としても用いることができる。
【背景技術】
【０００２】
一般的に、着物や浴衣には、洋服に形成されているポケットのような、財布や携帯電話などの身の回りの小物を収容するような収容部が形成されていない。
【先行技術文献】
【特許文献】
【０００３】
【特許文献１】特開平８−２４６２１４号公報
【考案の概要】
【考案が解決しようとする課題】
【０００４】
したがって、着物の着用者は、小物を持ち歩く必要がある場合には、小物を常に手に持ったりカバンなどの他の収容物に収容したりしなければならず利便性を悪いという問題があった。
【０００５】
また、周知のように、着物などを着用する際には帯が用いられる。一般的に、帯は結び目を作って締めるものであるが、緩み易いという問題があった。例えば祭りのように大勢の人と群れて接触すると、結び目が緩んできて帯が簡単に解けてしまう。また、子供などは自分で帯を結び直すのが難しいこともあった。さらに、伝統的な祭りによっては帯を独特な結び目で締めることが粋とされており、このような結び目を作って締めることは、子供は勿論のこと、大人でも慣れないと難しかった。そのために、特許文献１では簡単に締めることができる帯が開示されているが、さらに簡単に締めることができる帯が要望されている。
【０００６】
本考案は上述したようなことに鑑みてなされたものであり、着物を着用している場合でも、小物を収容することができるようにすることを目的とする。また、より簡単に締めることができる帯を提供することを目的とする。
【課題を解決するための手段】
【０００７】
本考案に係る帯は、長尺状の帯を着用した状態で上方から挿入される小物を、前記帯内に収容する収容部を有することを特徴とする。
また、前記帯の他端側には、前記帯が折り返されることで形成される折り返し部を有し、前記帯の一端側には、前記折り返し部内に差し込むことで前記他端側と前記一端側とを止着する止着部が固定されていることを特徴とする。
【考案の効果】
【０００８】
本考案によれば、着物を着用している場合でも小物を収容することができる。また、帯をより簡単に締めることができる。
【図面の簡単な説明】
【０００９】
【図１】図１は、本考案の帯の構成を示す斜視図である。
【図２】図２は、本考案の帯の一端側に固定される止着部の構成を示す斜視図である。
【図３】図３は、本考案の止着部を帯に取り付けた状態を示す斜視図である。
【考案を実施するための形態】
【００１０】
以下に、本考案の実施形態について、図面を参照して詳細に説明する。
図１（ａ）は、本実施形態の帯１の構成を示す斜視図である。帯１は、長尺状の帯本体２を有している。帯本体２は、例えば綿素材等により形成されている。本実施形態の帯本体２は、第１の帯体２ａおよび第２の帯体２ｂが重なり合って構成されている。具体的には、一本の長い帯体を一端側１ａで折り返して、重なり合わせている。第１の帯体２ａおよび第２の帯体２ｂは、それぞれ下縁同士および上縁同士を長手方向に沿って縫い合わせることで、一体的に形成されている。
【００１１】
図１（ａ）に示すように、本実施形態の帯１は、意図的に第１の帯体２ａおよび第２の帯体２ｂの上縁同士を縫い合わせない非縫合部Ｓを形成する。非縫合部Ｓでは第１の帯体２ａの上縁と第２の帯体２ｂの上縁との間を開口させることができる。したがって、この非縫合部Ｓには、開口から第１の帯体２ａと第２の帯体２ｂとの間に小物を収容することができる収容部３が形成される。図１（ａ）に示す帯１の例では、収容部３は帯１の一端側１ａと中央側との２カ所に形成されているが、必要に応じて収容部３の数を増減させたり収容部３を形成する位置を変更したりしてもよい。
【００１２】
また、収容部３には、収容した小物が収容部３の開口から飛び出して落下してしまうことを防止する構造を有している。
１つ目の落下防止構造では、図１（ａ）に示すように収容部３にホック４が設けられている。ホック４は収容部３内の第１の帯体２ａおよび第２の帯体２ｂの対向面にそれぞれ取り付けられ、ホック４同士を係合することにより収容部３の開口を閉塞させて、小物の飛び出しを防止することができる。なお、ホック４に限られず、収容部３の開口を閉塞させることができる部材であれば、どのようなものを用いてもよい。
【００１３】
２つ目の脱落防止構造では、図１（ａ）に示すように非縫合部Ｓから帯１の長手方向に離間した位置に、第１の帯体２ａと第２の帯体２ｂとを幅方向（図１（ａ）に示す上下方向）に沿って縫い合わされた規制部５が形成されている。着用者は、小物を収容部３に収容した後、小物を規制部５側に移動させる。なお、規制部５では、第１の帯体２ａと第２の帯体２ｂとが縫い合わされているので、小物が規制部５を超えて帯１の一端側１ａに移動することはできない。規制部５の近辺は、第１の帯体２ａと第２の帯体２ｂとの上縁同士が縫い合わされているので上方が開口していない。したがって、規制部５側に位置する小物は、収容部３の開口から飛び出すことがなく落下を防止することができる。
【００１４】
３つ目の脱落防止構造では、図１（ｂ）に示すように収容部３内の上部に、飛び出し防止部材６を設けることができる。飛び出し防止部材６は、綿素材等により形成され、収容部３の開口寸法よりも短い矩形状に形成されている。飛び出し防止部材６は、その上端のみが第１の帯体２ａの内面に帯１の長手方向に沿って縫い付けられている。したがって、飛び出し防止部材６の下端は、上端を中心に上下に移動することができる。着用者は、図１（ｂ）に示すように、小物Ｐを収容部３に収容した後、飛び出し防止部材６で小物Ｐを上方から覆うことにより、小物Ｐは収容部３の開口から飛び出すことがなく落下を防止することができる。
【００１５】
次に、図１に戻り帯１の構成について更に説明する。帯本体２の一端側１ａには、結び目７が予め固定されている。すなわち、本実施形態の帯１は、着物を着用した後に帯を締めて結び目をつくるのではなく、予め所定の結び目７が帯本体２の共布を折り曲げて作成され、帯本体２の一端側１ａの先端に固定されている。なお、結び目７の形状は限定されず、どのような形状であってもよい。
また、帯本体２の一端側１ａの先端には、帯本体２の他端側１ｂを止着するための後述する止着部が結び目７によって被覆された状態で固定されている。
【００１６】
帯本体２の裏面（帯１を締めたときの体表面側）には、帯本体２の中央側から他端側１ｂまでの所定の位置に、例えばマジックテープ（登録商標）のような互いに離着自在の着接部８ａおよび８ｂが、縫い込みや接着などにより固定されている。なお、他端側１ｂの先端に固定される一方の着接部８ａに対して、他方の着接部８ｂは長い寸法のものが用いられている。着用者は、自身の腰回りの寸法に応じて、帯本体２の他端側１ｂを折り返し、着接部８ａと着接部８ｂとを互いに着接させることで、帯本体２の長手寸法を調整することができる。
【００１７】
次に、止着部９の構成について説明する。図２は、帯本体２の一端側１ａの先端に固定される止着部９の構成を示す斜視図である。
止着部９は、帯本体２の幅よりも長く形成された止着部本体１０と、止着部本体１０に固定される板状の補強材１１と、補強材１１に固定され補強材１１よりも広く板状に形成された抜止め部材１２とを有している。
【００１８】
止着部本体１０は、細長状の金属により形成され、複数ヵ所で折り曲げられた形状を有している。具体的には、止着部本体１０は、直線部１０ａ、直線部１０ａの上端が折り曲げられた鉤部１０ｂ、直線部１０ａの下端が折り返された折返直線部１０ｃ、折返直線部１０ｃに形成された補強材取付部１０ｄを有している。
【００１９】
補強材１１は、硬質ナイロンなどにより薄板状に形成されている。補強材１１は止着部本体１０の折返直線部１０ｃおよび補強材取付部１０ｄに縫い合わせたり接着したりすることで止着部本体１０に固定される。このとき、補強材１１と止着部本体１０の直線部１０ａとの間には、帯本体２の一端側１ａで折り返された折り返し部１３ａが挿入できる隙間が形成されている。
【００２０】
抜止め部材１２は、硬質ナイロンなどにより、補強材１１よりも広い薄板状に形成されている。また、抜止め部材１２の端部１２ａの上方は、傾斜状に切り欠かれた傾斜部１２ｂが形成されている。また、抜止め部材１２の端部１２ａは、図２に示す矢印Ａ方向（抜止め部材１２の板面と直交方向）から見たとき、止着部本体１０の直線部１０ａと重なり合っている。
【００２１】
次に、止着部９を帯本体２に取り付ける場合、帯本体２の一端側１ａの折り返しによって形成される折り返し部１３ａの下側から止着部９を挿入する。具体的には、抜止め部材１２および補強材１１を折り返し部１３内に挿入し、止着部本体１０のうち直線部１０ａおよび鉤部１０ｂは折り返し部１３内に挿入せずに折り返し部１３ａの外側に位置させる。このような状態で、止着部９を帯本体２の一端側１ａの折り返し部１３に縫い合わせたり接着したりすることで止着部９を固定する。その後、上述したように、第１の帯体２ａおよび第２の帯体２ｂの下縁および非縫合部Ｓを除く上縁同士を縫い合わせる。なお、帯本体２の一端側１ａの表面（帯１を締めたときの外観面側）には、結び目７を縫い合わせたり接着したりすることで固定する。
【００２２】
図３は、止着部９を帯本体２の一端側１ａの先端に固定した状態を示す斜視図である。なお、ここでは、理解を容易にするために、結び目７を省略して図示している。
図３に示すように、帯本体２の一端側１ａの先端には、止着部９の止着部本体１０のうち直線部１０ａおよび鉤部１０ｂが露出した状態で取り付けられる。このとき、帯本体２の一端側１ａの先端部１４ａの上方は、抜止め部材１２に形成された傾斜部１２ｂの形状に合わせるようにして、帯本体２の一部を切除するなどして傾斜部１４ｂを形成する。また、上述したように抜止め部材１２の端部１２ａは止着部本体１０の直線部１０ａと重なり合っているので、帯本体２の一端側１ａの先端部１４ａも同様に止着部本体１０の直線部１０ａと重なり合っている。
【００２３】
次に、上述したように構成される帯１を用いて、帯１を締める手順について説明する。まず、上述したように、着用者は、自身の腰回りの寸法に応じて、帯本体２の他端側１ｂを折り返し、着接部８ａと着接部８ｂとを互いに着接させることで、帯本体２の長手寸法を調整する。このとき、図３に示すように、帯本体２には、他端側１ｂを折り返すことにより折り返し部１３ｂが形成される。
次に、着用者は、調整した帯本体２を腰にあてがい、帯本体２の一端側１ａと他端側１ｂの折り返し部１３ｂとを自身の前方に位置させる。次に、図３に示すように、帯本体２の他端側１ｂの折り返し部１３ｂ内に、止着部９の止着部本体１０の鉤部１０ｂおよび直線部１０ａが挿通されるように、上方から差し込む。このとき、帯本体２の一端側１ａの先端部１４ａの上方には、傾斜部１４ｂが形成されているので、帯本体２の一端側１ａが邪魔にならず、折り返し部１３ｂをスムーズに差し込むことができる。折り返し部１３ｂを止着部本体１０の直線部１０ａの下端まで差し込むことで、折り返し部１３ｂの上端を止着部本体１０の鉤部１０ｂ内に位置させることができる。このように折り返し部１３ｂ内に止着部本体１０の直線部１０ａが差し込まれることで帯本体２の一端側１ａと他端側１ｂとが止着部９を介して止着され、帯１を締める作業が終了する。
【００２４】
このとき、帯本体２の他端側１ｂの折り返し部１３ｂのうち内側に位置する帯本体２は止着部本体１０の直線部１０ａと、帯本体２の一端側１ａの先端部１４ａとの間に位置している。そのため、折り返し部１３ｂは先端部１４ａにより内側（体表面側）から直線部１０ａに向かって押し付けられる。したがって、帯本体２の他端側１ｂの折り返し部１３ｂが止着部９から抜け出ることを防止することができる。また、先端部１４ａは、矢印Ａ方向から見たとき、止着部本体１０の直線部１０ａと重なり合っているために、直線部１０ａが体表面と接触するのを防止することができる。
【００２５】
このように、本実施形態によれば、帯１に収容部３を形成したことにより、着物を着用した場合であっても小物を収容することができる。また、収容部３は、帯１内に形成され、帯１によって被覆されることから、着物および帯１の見栄えを損なうことがないという効果がある。また、収容部３に、ホック４、規制部５および飛び出し防止部材６などを設けることで収容した小物が収容部３の開口から飛び出すことを防止することができる。
【００２６】
また、本実施形態によれば、着用者は自身の腰回りの寸法に応じて帯本体２の長手寸法を調整した後、帯本体２の他端側１ｂの折り返し部１３ｂを止着部９に差し込むだけで帯本体の一端側１ａと他端側１ｂとを止着部９を介して止着することができるので、帯１を簡単に締めることができる。
【００２７】
以上、本考案の実施形態について、図面を参照して詳細に説明したが、本考案は上述した実施形態に限定されるものではない。本考案は、その趣旨を逸脱しない範囲において、種々の改変が可能である。例えば、上述した実施形態では、予め結び目７が帯本体２の一端側１ａに固定されている場合について説明したが、この場合に限られず、結び目７が帯本体２の長手方向に沿って移動できるように構成してもよい。
【符号の説明】
【００２８】
１：帯  ２：帯本体  ２ａ：第１の帯体  ２ｂ：第２の帯体  ３：収容部  ４：ホック  ５：規制部  ６：飛び出し防止部材  ７：結び目  ８ａ、８ｂ：着接部  ９：止着部  １０：止着部本体  １１：補強材  １２：抜止め部材  １３ａ、１３ｂ：折り返し部  １４ａ：先端部  １４ｂ：傾斜部
【図１】
0003175231.tif 000003
【図２】
0003175231.tif 000004
【図３】
0003175231.tif 000005